(57)【要約】      （修正有）【課題】財務データ等に基づく分析結果を確認でき、経営戦略の具体的実施項目と、その実行状況を視覚化し、それらを関連付けて管理することができる経営サポート装置及び経営サポートプログラムを提供する。【解決手段】財務データと非財務データとを取得するデータ取得手段１と、データ取得手段１で取得したデータを分析するデータ分析手段２と、財務データと非財務データとを関連づける関連データベース３と、データ分析手段２により分析した結果から、関連データベース３のデータに基づいて、財務データに関連する非財務データを選択して、経営戦略として計器型出力インターフェースによって視覚化して表示する出力手段４とを有する。【選択図】図１
2015176392.tif 000002
【特許請求の範囲】
【請求項１】
財務データと非財務データとを取得するデータ取得手段と、
該データ取得手段で取得したデータを分析するデータ分析手段と、
財務データと非財務データとを関連づける関連データベースと、
該データ分析手段により分析した結果から、関連データベースのデータに基づいて、財務データに関連する非財務データを選択して、経営戦略として表示する出力手段とを有し、
経営戦略の具体的実施項目と、その実行状況を視覚化し、更に、それらを関連付けて管理することができることを特徴とする、経営サポート装置。
【請求項２】
財務データと非財務データとを取得するデータ取得機能と、
該データ取得機能で取得したデータを分析するデータ分析機能と、
財務データと非財務データとを関連づける関連データベースと、
前記データ分析機能により分析した結果から、前記関連データベースのデータに基づいて、財務データに関連する非財務データを選択して、経営戦略として表示する出力機能とを有し、
経営戦略の具体的実施項目と、その実行状況を視覚化し、更に、それらを関連付けて管理することができることを特徴とする、経営サポートプログラム。
【発明の詳細な説明】
【技術分野】
【０００１】
本発明は、経営サポート装置及び経営サポートプログラムに関し、詳細には、経営分析結果を視覚イメージ化して示す経営サポート装置及び経営サポートプログラムに関する。
【背景技術】
【０００２】
経営分析結果を視覚イメージ化して示すものとして、特許文献１に記載の財務分析システムが知られている。
【０００３】
該特許文献１に記載のシステムは、企業や個人等の経済活動主体が行なう経済活動の計算的結果情報として測定される被分析財務情報を、該被分析財務情報を記憶した記憶装置から読み出すことにより取得する被分析財務情報取得手段と、前記経済活動主体の財務状態を表す予め定義された複数の数値財務パラメータの値を、取得した前記被分析財務情報に基づいて算出する数値財務パラメータ算出手段と、その算出された財務パラメータの値を、記憶装置に記憶されたコックピット画面インターフェースモジュールの実行により、自身の画面上に形成される計器類を模した視覚態様を有する出力インターフェース（以下、計器型出力インターフェースという）上に分析結果として表示出力する表示装置とを含むものである。
【０００４】
該装置は、専門的でなじみの薄い各種の数値財務パラメータの値を、メータ表示にて示すことにより、財務分析の専門的知識が少なく、数字の羅列を見ただけで頭が痛くなるような人でも、親しみやすくし、理解をスムーズにするものである。
【発明の概要】
【発明が解決しようとする課題】
【０００５】
しかしながら、特許文献１に記載のシステムは、財務データに基づく分析結果を単に計器型出力インターフェース上に表示するにすぎないので、経営者は、これらの分析結果に基づいて、戦略上の具体的対策を自ら考えなければならず、この点で利便性に欠けるものであった。
さらに、経営者が、自ら具体的対策を考えて実施したとしても、その実行状況を確認する手段がなく、この点でも利便性に欠けるものであった。
【０００６】
そのため、財務データ等に基づく分析結果を確認できると共に、経営戦略の具体的実施項目と、その実行状況まで視覚化し、更に、それらを関連付けて管理することができる経営サポート装置及び経営サポートプログラムが求められていた。
【課題を解決するための手段】
【０００７】
本発明の課題を解決するための手段は、下記のとおりである。
【０００８】
第１に、
財務データと非財務データとを取得するデータ取得手段と、
該データ取得手段で取得したデータを分析するデータ分析手段と、
財務データと非財務データとを関連づける関連データベースと、
前記データ分析手段により分析した結果から、前記関連データベースのデータに基づいて、財務データに関連する非財務データを選択して、経営戦略として視覚化して表示する出力手段とを有し、
経営戦略の具体的実施項目と、その実行状況を視覚化し、更に、それらを関連付けて管理することができることを特徴とする、経営サポート装置。
【０００９】
ここで、非財務データとは、財務データ以外の企業業績に係る全てのデータのことをいい、例えば、数値として表される財務諸表以外の情報、ＥＳＧ情報、知的資産経営報告書における無形資産に関する情報、業種を考慮した情報等を示す。
【００１０】
第２に、
前記出力手段が、計器型出力インターフェースによるものを含むことを特徴とする、上記第１に記載の経営サポート装置。
第３に、
前記出力手段が、組織図構造に基づく部門別の戦略マップとして出力可能なものであることを特徴とする、前記第１または第２に記載の経営サポート装置。
第４に、
前記出力手段が、前期実績と当期実績とを併せて月毎に示すことができるものであることを特徴とする、前記第１〜３のいずれか一つに記載の経営サポート装置。
第５に、財務データと非財務データとを取得するデータ取得機能と、
該データ取得機能で取得したデータを分析するデータ分析機能と、
財務データと非財務データとを関連づける関連データベースと、
前記データ分析機能により分析した結果から、前記関連データベースのデータに基づいて、財務データに関連する非財務データを選択して、経営戦略として視覚化して表示する出力機能とを有し、
経営戦略の具体的実施項目と、その実行状況を視覚化し、更に、それらを関連付けて管理することができることを特徴とする、経営サポートプログラム。
第６に、
前記出力機能が、計器型出力インターフェースによるものを含むことを特徴とする、上記第５に記載の経営サポートプログラム。
第７に、
前記出力機能が、組織図構造に基づく部門別の戦略マップとして出力可能なものであることを特徴とする、前記第５または第６に記載の経営サポートプログラム。
第８に、
前記出力機能が、前期実績と当期実績とを併せて月毎に示すことができるものであることを特徴とする、前記第５〜７のいずれか一つに記載の経営サポート装置。
【発明の効果】
【００１１】
本発明によれば、財務データ等に基づく分析結果を確認できると共に、経営戦略の具体的実施項目と、その実行状況まで視覚化し、更に、それらを関連付けて管理することができる。
また、出力手段が、計器型出力インターフェースによるものは、財務データ等に基づく分析結果による、経営戦略の具体的実施項目と、その実行状況までもが、計器型出力インターフェースにより視覚化されるので、現在の状況が容易に理解可能なものとなる。
さらに、前期実績と当期実績とを併せて、月毎に示すと共に、戦略マップを組織図構造によって視覚化し、部門別に戦略マップを示すものは、経営戦略を立案する上で参考となるデータや項目まで視覚化されるので、戦略の実施状況を俯瞰的に理解することができる。
【図面の簡単な説明】
【００１２】
【図１】本発明の経営システム装置の説明図である。
【図２】本発明の経営システム装置の出力手段によって視覚化された項目を示す説明図である。
【図３】本発明の経営システム装置の出力手段によって視覚化された組織図構造を示す説明図である。
【図４】本発明の経営システム装置の出力手段によって視覚化された組織図構造の全社戦略マップを示す説明図である。
【図５】本発明の経営システム装置の出力手段によって視覚化された組織図構造の工場全体戦略マップを示す説明図である。
【図６】本発明の経営システム装置の出力手段によって視覚化された組織図構造の店舗全体戦略マップを示す説明図である。
【図７】本発明の経営システム装置の出力手段によって視覚化された組織図構造の一販売店戦略マップを示す説明図である。
【図８】本発明の経営システム装置の出力手段によって、経営戦略の具体的実施項目と、その実行状況まで視覚化して示す一例の説明図である。
【発明を実施するための形態】
【００１３】
以下、本発明を実施するための形態を、図面を参照しつつ具体的に説明する。
なお、ここでの説明は本発明が実施される一形態であることから、本発明は該当形態に限定されるものではない。
【００１４】
本実施の形態における経営サポート装置は、図１に示すように、財務データと非財務データとを取得するデータ取得手段１と、該データ取得手段１で取得したデータを分析するデータ分析手段２と、財務データと非財務データとを関連づける関連データベース３と、前記データ分析手段２により分析した結果から、前記関連データベース３のデータに基づいて、財務データに関連する非財務データを選択して、経営戦略として視覚化して表示する出力手段４とを有し、経営戦略の具体的実施項目と、その実行状況を視覚化し、更に、それらを関連付けて管理する。
また、本実施の形態に係る経営サポートプログラムは、図示は省略するが、財務データと非財務データとを取得するデータ取得機能と、該データ取得機能で取得したデータを分析するデータ分析機能と、財務データと非財務データとを関連づける関連データベースと、前記データ分析機能により分析した結果から、前記関連データベースのデータに基づいて、財務データに関連する非財務データを選択して、経営戦略として視覚化して表示する出力機能とを有し、経営戦略の具体的実施項目と、その実行状況を視覚化し、更に、それらを関連付けて管理することができるものである。
【００１５】
前記経営システム装置は、図示は省略するが、ＣＰＵと記憶手段を有し、インターネットに接続された端末装置からアクセス可能なものである。
【００１６】
該端末装置は、経営システム装置のデータ取得手段１にインターネットを介してデータを送ることができる。
【００１７】
また、出力手段４からインターネットを介して送られた信号は、端末に接続されたディスプレイに表示される。
【００１８】
該出力手段４は、図２に示すように、売上グラフ、利益メータ、変動損益計算書、決算予測、部門別戦略マップ、バランスコアカードの出力が計器型出力インターフェースによって出力可能なものであり、前期実績と当期実績とを併せて、月毎に示すことができるものであると共に、戦略マップを組織図構造によって視覚化し、部門別に戦略マップを示すことができる。
【００１９】
図３に示すように、出力手段３は、全体の上部層から末端の下部層へと通じる組織の構造を、視覚化して年度別に示すことができるものであり、組織が、工場部門と各店舗部門とに枝分し、下部層が各店舗等で構成されている構造が視覚化されている。
さらに、各層において戦略マップが存在することが示されている。
【００２０】
図４に示すように、図３において全社戦略マップを端末からの操作でクリックすると、項目別の対応が具体的に示された全社戦略マップが示される。
【００２１】
図５に示すように、図３において工場全体戦略マップを端末からの操作でクリックすると、工場全体に特に適応した、項目別の対応が具体的に示される。
【００２２】
図６に示すように、図３において店舗全体戦略マップを端末からの操作でクリックすると、店舗全体に特に適応した、項目別の対応が具体的に示される。
【００２３】
図７に示すように、図３において特定の店舗における販売店戦略マップを端末からの操作でクリックすると、各店舗に特に適応した、項目別の対応が具体的に示される。
【００２４】
図８に示すように、図２において「目標と実績（ＢＳＣ）」のタグを、端末からの操作でクリックすると、財務データに関連した戦略を実施するために非財務データである従業員教員について、月別の目標と達成度が示され、経営戦略の具体的実施項目と、その実行状況が視覚化されている。
これにより、経営者は、経営状況を改善するためにやるべき事が明確なり、また、その実施状況をバランスカードスコアカード形式で整理できるようになると共に、戦略実施状況が容易に確認することができ、財務表科目に関連付した戦略状況の管理が可能になる。
【符号の説明】
【００２５】
１  データ取得手段
２  データ分析手段
３  関連データベース
４  出力手段
【先行技術文献】
【特許文献】
【００２６】
【特許文献１】特開２００４−２２７６０１号公報
【図１】
2015176392.tif 000003
【図２】
2015176392.tif 000004
【図３】
2015176392.tif 000005
【図４】
2015176392.tif 000006
【図５】
2015176392.tif 000007
【図６】
2015176392.tif 000008
【図７】
2015176392.tif 000009
【図８】
2015176392.tif 000010